(57)【要約】【課題】集草容器を上昇排出姿勢にして集草容器から刈り草を排出できながら、格納姿勢にした先端側ロプス部を低く位置させることができるようにする。【解決手段】ロプス３０は、左右一対の基端側ロプス部３１と、先端側ロプス部３２とを備えている。先端側ロプス部３２は、基端側ロプス部３１に対して起立した使用姿勢と、基端側ロプス部３１に対して走行機体の後方向きに倒伏した格納姿勢とにわたって姿勢変更可能である。先端側ロプス部３２が格納姿勢のとき、かつ、集草容器１０が上昇排出姿勢のとき、集草容器１０の遊端側が先端側ロプス部３２の左右一対の支柱部３３の間に入り込む。【選択図】図２
2018134055.tif 000002
【特許請求の範囲】
【請求項１】
運転座席を有した走行機体と、
前記走行機体の後部に設けられたロプスと、
前記走行機体に装備された草刈装置と、
前記走行機体の後部に支持され、前記草刈装置によって刈り取られた刈り草を供給されて貯留する集草容器と、が備えられ、
前記集草容器は、当該集草容器の上部に配置されると共に前記走行機体の横幅方向に延びる軸芯を揺動支点にして上昇揺動した上昇排出姿勢と、前記軸芯を揺動支点にして下降揺動した下降貯留姿勢とにわたって揺動昇降可能に支持され、
前記ロプスは、前記走行機体から上方向きに突設された左右一対の基端側ロプス部と、左右一対の前記基端側ロプス部の先端部に起伏揺動可能に支持され、前記基端側ロプス部に対して起立した使用姿勢と、前記基端側ロプス部に対して前記走行機体の後方向きに倒伏した格納姿勢とにわたって姿勢変更可能な先端側ロプス部とを備え、
前記先端側ロプス部は、左右一対の前記基端側ロプス部の先端部に基端部が支持される左右一対の支柱部と、左右一対の前記支柱部の先端部に連結された梁部とを備え、
左右一対の前記支柱部の間隔が前記集草容器の横幅より広く、
前記先端側ロプス部が前記格納姿勢のとき、かつ、前記集草容器が前記上昇排出姿勢のとき、前記集草容器の遊端側が左右一対の前記支柱部の間に入り込む乗用型草刈機。
【請求項２】
前記先端側ロプス部は、前記格納姿勢よりも下降揺動すると共に左右一対の前記基端側ロプス部の後側に前記基端側ロプス部に沿って位置する第２の格納姿勢に姿勢変更可能に支持されている請求項１に記載の乗用型草刈機。
【請求項３】
前記集草容器が前記下降貯留姿勢のとき、かつ、前記先端側ロプス部が前記第２の格納姿勢のとき、前記先端側ロプス部は、前記集草容器より上方に位置する請求項２に記載の乗用型草刈機。
【請求項４】
前記走行機体に取付けられ、左右一対の前記基端側ロプス部を各別に脱着可能に支持する左右一対のブラケットが備えられ、
左右一対の前記ブラケットに、前記基端側ロプス部の連結部が上方から差し込まれることによって前記連結部を保持する保持部が設けられている請求項１〜３のいずれか一項に記載の乗用型草刈機。
【発明の詳細な説明】
【技術分野】
【０００１】
本発明は、乗用型草刈機に関する。
【背景技術】
【０００２】
上記した乗用型草刈機は、運転座席を有した走行機体と、前記走行機体の後部に設けられたロプスと、前記走行機体に装備された草刈装置と、前記走行機体の後部に支持され、前記草刈装置によって刈り取られた刈り草を供給されて貯留する集草容器と、を備える。前記集草容器は、当該集草容器の上部に配置されると共に前記走行機体の横幅方向に延びる軸芯を揺動支点にして上昇揺動した上昇排出姿勢と、前記軸芯を揺動支点にして下降揺動した下降貯留姿勢とにわたって揺動昇降可能に支持されたものである。
【０００３】
例えば、特許文献１に示される乗用型草刈機がある。特許文献１に示される乗用型草刈機では、走行機体の後部に支持された集草容器、運転座席と集草容器との間に設けられたロプスが備えられている。ロプスは、左右一対の基端部と、左右の基端部の上端に連設された門形フレーム部とで構成されている。門形フレーム部は、支点まわりに後方に折り畳み可能に連設され、上下向き姿勢の立ち姿勢と後倒れ姿勢とに切換え可能である。門形フレーム部は、後倒れ姿勢に切換えられた状態で、集草容器の容器本体部における後上り傾斜状態となっている上面に沿った姿勢になる。
【先行技術文献】
【特許文献】
【０００４】
【特許文献１】特開２０１０−１７８６３５号公報
【発明の概要】
【発明が解決しようとする課題】
【０００５】
上記した乗用型草刈機においては、ロプスに、走行機体から上方向きに突設された左右一対の基端側ロプス部と、左右一対の基端側ロプス部の先端部に起伏揺動可能に支持され、基端側ロプス部に対して起立した使用姿勢と、基端側ロプス部に対して走行機体の後方向きに倒伏した格納姿勢とにわたって姿勢変更可能な先端側ロプス部とを備えることにより、例えば、樹木の付近で作業するとき、先端側ロプス部を格納姿勢にすることによって、ロプスを枝に引っ掛かり難くできる。
【０００６】
従来のロプスに関する技術を採用することにより、先端側ロプス部を格納姿勢に姿勢変更可能にした場合、先端側ロプス部が集草容器の上面に沿った姿勢になるよう構成するので、その上、上記した乗用型草刈機では、先端側ロプス部を格納姿勢にし、かつ、集草容器を上昇排出姿勢にしたとき、先端側ロプス部と集草容器とが当たらないようにする必要があるので、先端側ロプス部を格納姿勢にしたときの先端側ロプス部の使用姿勢からの下がり代があまり大きくならない。つまり、先端側ロプス部を格納姿勢にしても、先端側ロプス部をあまり低くできない。
【０００７】
本発明は、集草容器を上昇排出姿勢にして集草容器から刈り草を排出するものでありながら、格納姿勢にした先端側ロプス部を低く位置させることができる乗用型草刈機を提供する。
【課題を解決するための手段】
【０００８】
本発明による乗用型草刈機は、
運転座席を有した走行機体と、
前記走行機体の後部に設けられたロプスと、
前記走行機体に装備された草刈装置と、
前記走行機体の後部に支持され、前記草刈装置によって刈り取られた刈り草を供給されて貯留する集草容器と、が備えられ、
前記集草容器は、当該集草容器の上部に配置されると共に前記走行機体の横幅方向に延びる軸芯を揺動支点にして上昇揺動した上昇排出姿勢と、前記軸芯を揺動支点にして下降揺動した下降貯留姿勢とにわたって揺動昇降可能に支持され、
前記ロプスは、前記走行機体から上方向きに突設された左右一対の基端側ロプス部と、左右一対の前記基端側ロプス部の先端部に起伏揺動可能に支持され、前記基端側ロプス部に対して起立した使用姿勢と、前記基端側ロプス部に対して前記走行機体の後方向きに倒伏した格納姿勢とにわたって姿勢変更可能な先端側ロプス部とを備え、
前記先端側ロプス部は、左右一対の前記基端側ロプス部の先端部に基端部が支持される左右一対の支柱部と、左右一対の前記支柱部の先端部に連結された梁部とを備え、
左右一対の前記支柱部の間隔が前記集草容器の横幅より広く、
前記先端側ロプス部が前記格納姿勢のとき、かつ、前記集草容器が前記上昇排出姿勢のとき、前記集草容器の遊端側が左右一対の前記支柱部の間に入り込む。
【０００９】
本構成によると、先端側ロプス部を格納姿勢にし、かつ、集草容器を上昇排出姿勢にしても、集草容器の遊端側が先端側ロプス部の左右一対の支柱部の間に入り込むことによって先端側ロプス部と集草容器とが当たることを回避できるので、先端側ロプス部が集草容器の上面に沿うものに比べ、格納姿勢にした先端側ロプス部の使用姿勢からの下がり代を大きくできる。
【００１０】
従って、集草容器を上昇排出姿勢にして集草容器から刈り草を排出するものでありながら、格納姿勢にした先端側ロプス部を低く位置させることができる。例えば、先端側ロプス部を格納姿勢にしてロプスが木の枝に当たることを効果的に回避できる。
【００１１】
本発明においては、前記先端側ロプス部は、前記格納姿勢よりも下降揺動すると共に左右一対の前記基端側ロプス部の後側に前記基端側ロプス部に沿って位置する第２の格納姿勢に姿勢変更可能に支持されていると好適である。
【００１２】
本構成によれば、先端側ロプス部を第２の格納姿勢にすることにより、上昇排出姿勢の集草容器の遊端側が左右一対の支柱部の間に入り込む格納姿勢にするよりも、先端側ロプス部が支柱部から後方に突出する突出長さを短くできる。
【００１３】
本発明においては、前記集草容器が前記下降貯留姿勢のとき、かつ、前記先端側ロプス部が前記第２の格納姿勢のとき、前記先端側ロプス部は、前記集草容器より上方に位置すると好適である。
【００１４】
本構成によれば、先端側ロプス部を第２の格納姿勢にすることにより、上昇排出姿勢の集草容器の遊端側が左右一対の支柱部の間に入り込む格納姿勢にするのに比べ、下降貯留姿勢の集草容器の上方に広い空スペースを形成することができる。
【００１５】
本発明においては、前記走行機体に取付けられ、左右一対の前記基端側ロプス部を各別に脱着可能に支持する左右一対のブラケットが備えられ、左右一対の前記ブラケットに、前記基端側ロプス部の連結部が上方から差し込まれることによって前記連結部を保持する保持部が設けられていると好適である。
【００１６】
本構成によれば、基端側ロプス部の連結部をブラケットの保持部に抜き差しするだけの簡単な操作を行なうだけで、ロプスの脱着をできる。
【図面の簡単な説明】
【００１７】
【図１】集草容器が下降貯留姿勢であり、先端側ロプス部が使用姿勢である状態の乗用型草刈機の全体を示す左側面図である。
【図２】集草容器が上昇排出姿勢であり、先端側ロプス部が格納姿勢である状態の乗用型草刈機の全体を示す左側面図である。
【図３】集草容器が下降貯留姿勢であり、先端側ロプス部が第２の格納姿勢である状態の乗用型草刈機の全体を示す左側面図である。
【図４】集草容器の支持構造を示す平面図である。
【図５】集草容器及びロプスの支持構造を示す側面図である。
【図６】ブラケットと基端側ロプス部との連結構造を示す断面図である。
【図７】ロプスを示す正面図である。
【図８】先端側ロプス部の支持構造を示す左側面図である。
【図９】先端側ロプス部の支持構造を示す平面図である。
【発明を実施するための形態】
【００１８】
以下、図面に基づいて、本発明に係る乗用型草刈機の実施の形態を説明する。
図１，２，３に示す［Ｆ］の方向が走行機体の前方向、［Ｂ］の方向が走行機体の後方向、紙面表側の方向が走行機体の左横方向、紙面裏側の方向が走行機体の右横方向と定義する。
【００１９】
〔乗用型草刈機の全体の構成〕
図１に示すように、乗用型草刈機は、左右一対の前車輪１が操向可能に装備され、左右一対の後車輪２が駆動可能に装備された走行機体を備えている。走行機体の前部に原動部３が形成されている。原動部３にエンジン４が備えられている。走行機体は、後車輪２がエンジン４の動力によって駆動されて走行する。走行機体の後部に運転部５が形成されている。運転部５に運転座席６及びステアリングホイール７が備えられている。走行機体は、運転部５に搭乗し、ステアリングホイール７の回転操作によって前車輪１を操向操作するように乗用型に構成されている。走行機体の後部にロプス３０が設けられている。走行機体の前車輪１と後車輪２との間の部位に草刈装置８が支持されている。草刈装置８は、リンク機構９を介して支持され、リンク機構９が昇降操作されることにより、下降作業状態と上昇非作業状態とにわたって昇降操作される。走行機体の後部に集草容器１０が支持されている。草刈装置８と集草容器１０にわたってダクト１１が設けられている。ダクト１１は、左右の後車輪２の間を通っている。
【００２０】
草刈装置８を下降作業状態にして走行機体を走行させることにより、草刈り作業を行なえる。すなわち、草刈装置８において、回転刈り刃８ａがエンジン４の動力によって回転駆動され、草が回転刈り刃８ａによって切断される。刈り草が回転刈り刃８ａの回転によって発生する搬送風によってダクト１１を介して集草容器１０に供給されて貯留される。
【００２１】
〔集草容器１０の構成〕
図１，４，５に示すように、走行機体の後部に走行機体上下方向に延びる左右一対の支持フレーム１２が設けられている。左右の支持フレーム１２は、第１連結フレーム１３、第２連結フレーム１４、第３連結フレーム１５、及び、ブラケット１６を介して機体フレーム１７に支持されている。第１連結フレーム１３は、左右の支持フレーム１２の下部を連結している。第３連結フレーム１５は、左右のブラケット１６を連結している。第２連結フレーム１４は、第１連結フレーム１３と第３連結フレーム１５とを連結している。ブラケット１６は、走行機体の機体フレーム１７に連結部材１６ｂを介して支持されている。
【００２２】
図４，５に示すように、集草容器１０の前端側の上部における左右の角部に支持部１８が形成されている。左右の支持部１８にわたって支軸１９が備えられている。左右の支持部１８は、集草容器１０の角部に固定された支持部材１８ａと、支持部材１８ａに遊端側が連結された揺動リンク１８ｂとによって構成されている。集草容器１０は、左右の支持フレーム１２に支軸１９を介して支持され、支軸１９の走行機体の横幅方向に延びる軸芯Ｐを揺動支点にして上下揺動するように支持されている。
【００２３】
左右の揺動リンク１８ｂに連動軸２０が連結され、左右の揺動リンク１８ｂは、軸芯Ｐを揺動支点にして一体的に揺動するように連動軸２０によって連動連結されている。連動軸２０に昇降シリンダ２１が連動連結されている。
【００２４】
昇降シリンダ２１を伸縮作動させることにより、揺動リンク１８ｂが昇降シリンダ２１によって軸芯Ｐを揺動支点にして上下に揺動操作されて、集草容器１０が揺動リンク１８ｂと共に上下に揺動操作され、集草容器１０を上昇排出姿勢（図２参照）と、下降貯留姿勢（図１参照）とにわたって姿勢変更できる。
【００２５】
支持部材１８ａと揺動リンク１８ｂとは、連結ボルトによって連結されている。支持部材１８ａと揺動リンク１８ｂとの連結を解除することにより、集草容器１０を支持フレーム１２から取り外すことができる。
【００２６】
図１，３に示すように、草刈り作業を行なうとき、昇降シリンダ２１を貯留側に作動させ、集草容器１０を下降貯留姿勢にしておく。すると、集草容器１０は、開口１０ａが走行機体の前方向きになってダクト１１の出口に臨む取付姿勢になり、草刈装置８による刈り草を集草容器１０に回収して貯留できる。図５に示すように、支持フレーム１２の下部にフック２２が揺動操作可能に支持されている。集草容器１０を下降貯留姿勢にしたとき、フック２２を集草容器１０のロックピン２３に係合させることにより、集草容器１０をフック２２によって下降貯留姿勢にロックしておくことができる。
【００２７】
図２に示すように、集草容器１０に刈り草が貯まったとき、昇降シリンダ２１を排出側に作動させ、集草容器１０を上昇排出姿勢にする。すると、集草容器１０は、後側が上昇して開口１０ａが下向きになった取付け姿勢になり、集草容器１０の内部の刈り草を開口１０ａから重力によって落下させて排出できる。
【００２８】
〔ロプス３０の構成〕
図１，７に示すように、ロプス３０は、左右一対の基端側ロプス部３１と、一つの先端側ロプス部３２とを備えている。
【００２９】
図５，７に示すように、左右の機体フレーム１７の後部にブラケット１６が連結部材１６ｂを介して支持されている。ブラケット１６は、後車輪２よりも後方に位置している。左右の基端側ロプス部３１の下端部がブラケット１６の延出端部に支持されている。左右の基端側ロプス部３１は、走行機体の上下方向に延びる上下向き姿勢でブラケット１６を介して機体フレーム１７に支持されている。
【００３０】
図５，６に示すように、基端側ロプス部３１の基端部に連結部３１ａが形成されている。ブラケット１６の端部に、走行機体の上下方向に沿った上下向きの筒状の保持部１６ａが設けられている。連結部３１ａが保持部１６ａに上方から差し込まれ、保持部１６ａと連結部３１ａとにわたって脱着可能な抜止めボルト２４が装着されて、基端側ロプス部３１がブラケット１６に脱着可能に支持されている。後車輪２よりも後方箇所において、左右の基端側ロプス部３１をブラケット１６に脱着することにより、ロプス３０を脱着できる。
【００３１】
図７に示すように、先端側ロプス部３２は、左右一対の支柱部３３と、左右の支柱部３３の先端部に連結された梁部３４とを備えている。先端側ロプス部３２は、左右の支柱部３３の間隔Ｄが集草容器１０の横幅Ｗ（図４参照）より広いＵ字状に構成されている。
【００３２】
図７，８，９に示すように、左右の支柱部３３の下端部に連結部３３ａが形成されている。左右の基端側ロプス部３１の上端部に左右一対の支持部３１ｂが形成されている。左右の支持部３１ｂの間において、連結部３３ａが左右の支持部３１ｂに支軸３５を介して支持されている。先端側ロプス部３２は、左右の基端側ロプス部３１に支軸３５を介して支持され、支軸３５の走行機体の横幅方向に延びる軸芯Ｘを揺動支点にして揺動操作できるように支持されている。
【００３３】
図８に示すように、連結部３３ａに２つのロック穴３６が形成されている。左右の支持部３１ｂに４つの位置決め穴３７が形成されている。
【００３４】
図１に示すように、かつ、図８に実線で示すように、先端側ロプス部３２を揺動操作し、２つのロック穴３６が４つの位置決め穴３７のうちの第１位置決め穴３７ａ及び第２位置決め穴３７ｂに合致すると、先端側ロプス部３２が基端側ロプス部３１に対して起立して、使用姿勢になる。この場合、第１位置決め穴３７ａと一方のロック穴３６とにわたって脱着可能なロックピン３８を装着し、第２位置決め穴３７ｂと他方のロック穴３６とにわたって脱着可能なロックピン３８を装着することにより、先端側ロプス部３２を使用姿勢に固定できる。
【００３５】
図２に示すように、かつ、図８に一点鎖線で示すように、先端側ロプス部３２を揺動操作し、２つのロック穴３６が４つの位置決め穴３７のうちの第２位置決め穴３７ｂ及び第３位置決め穴３７ｃに合致すると、先端側ロプス部３２が基端側ロプス部３１に対して走行機体の後方向きに倒伏して、第１の格納姿勢になる。この場合、第２位置決め穴３７ｂと一方のロック穴３６とにわたって脱着可能なロックピン３８を装着し、第３位置決め穴３７ｃと他方のロック穴３６とにわたって脱着可能なロックピン３８を装着することにより、先端側ロプス部３２を第１の格納姿勢に固定できる。先端側ロプス部３２を第１の格納姿勢にし、集草容器１０を上昇排出姿勢にしたとき、集草容器１０の遊端側の部分１０ｂが左右の支柱部３３の間に入り込むと共に、集草容器１０の遊端側の部分１０ｂが左右の支柱部３３から上方に突出する。
【００３６】
図３に示すように、かつ、図８に二点鎖線で示すように、先端側ロプス部３２を揺動操作し、２つのロック穴３６が４つの位置決め穴３７のうちの第３位置決め穴３７ｃ及び第４位置決め穴３７ｄに合致すると、先端側ロプス部３２が基端側ロプス部３１の後側に基端側ロプス部３１に沿って位置し、第１の格納姿勢よりも下降揺動した第２の格納姿勢になる。この場合、第３位置決め穴３７ｃと一方のロック穴３６とにわたって脱着可能なロックピン３８を装着し、第４位置決め穴３７ｄと他方のロック穴３６とにわたって脱着可能なロックピン３８を装着することにより、先端側ロプス部３２を第２の格納姿勢に固定できる。先端側ロプス部３２を第２の格納姿勢にし、集草容器１０を下降貯留姿勢にしたとき、先端側ロプス部３２が集草容器１０より上方に位置する。
【００３７】
上方に障害物がない作業箇所の場合、先端側ロプス部３２を使用姿勢にすることにより、ロプス３０の高さを高くしつつ草刈り作業をすることができ。
【００３８】
例えば樹木の付近が作業箇所である場合、先端側ロプス部３２を第１の格納姿勢にすることにより、ロプス３０の高さを低くでき、木の枝がロプス３０に引っ掛かることを回避し易くしつつ草刈り作業をすることができる。集草容器１０を上昇排出姿勢にしても、集草容器１０の遊端側の部分１０ｂが左右の支柱部３３の間に入り込んで集草容器１０が先端側ロプス部３２に当たらないので、集草容器１０を上昇排出姿勢にして集草容器１０から刈り草を排出することができる。
【００３９】
先端側ロプス部３２を第２の格納姿勢にすることにより、下降貯留姿勢の集草容器１０の上方の空スペースを広くしつつ草刈り作業をすることができる。この場合、集草容器１０の内部の刈り草を排出するとき、先端側ロプス部３２を第１の格納姿勢又は使用姿勢に上昇させることにより、集草容器１０を上昇排出姿勢に上昇させて排出することができる。
【００４０】
〔別実施形態〕
（１）上記した実施形態では、先端側ロプス部３２を第２の格納姿勢に姿勢変更することを可能にした例を示したが、第２の格納姿勢への姿勢変更を不能にして実施してもよい。
【００４１】
（２）上記した実施形態では、ブラケット１６を設けた例を示したが、ブラケット１６を設けず、基端側ロプス部３１を機体フレーム１７に直接に支持する構成を採用してもよい。
【００４２】
（３）上記した実施形態では、草刈装置８が前車輪１と後車輪２との間に設けられた例を示したが、前車輪１よりも前方など、如何なる箇所に設けてもよい。
【産業上の利用可能性】
【００４３】
本発明は、草刈装置が前後輪の間に装備されたミッドマウント型に限らず、前輪よりも前に装備されたフロントマウンド型にも適用できる。
【符号の説明】
【００４４】
６        運転座席
８        草刈装置
１０      集草容器
１６      ブラケット
１６ａ    保持部
３０      ロプス
３１      基端側ロプス部
３１ａ    連結部
３２      先端側ロプス部
３３      支柱部
３４      梁部
【図１】
2018134055.tif 000003
【図２】
2018134055.tif 000004
【図３】
2018134055.tif 000005
【図４】
2018134055.tif 000006
【図５】
2018134055.tif 000007
【図６】
2018134055.tif 000008
【図７】
2018134055.tif 000009
【図８】
2018134055.tif 000010
【図９】
2018134055.tif 000011